(57)【要約】【課題】ナースコール子機を容易に取り外すことが可能なナースコール子機ハンガーを提供する。【解決手段】ナースコール子機１をベッドサイドのパイプ３に保持させるナースコール子機ハンガー１１であって、パイプ３に取り付けられる取付部２０と、取付部２０に設けられ、パイプ３に取付部２０を取り付けた状態で上方へ屈曲されてナースコール子機１に設けられた係合孔１ｃに係合可能なフック部３０と、を有し、少なくともフック部３０が弾性材料から形成されている。【選択図】図１
2015073560.tif 000002
【特許請求の範囲】
【請求項１】
ナースコール子機をベッドサイドのパイプに保持させるナースコール子機ハンガーであって、
前記パイプに取り付けられる取付部と、
前記取付部に設けられ、前記ナースコール子機に設けられた係合部に係合可能なフック部と、
を有し、
少なくとも前記フック部が弾性材料から形成されていることを特徴とするナースコール子機ハンガー。
【請求項２】
前記フック部及び前記取付部が弾性材料から一体に成形され、
前記取付部は、前記パイプに巻回可能なベルト部と、前記ベルト部の一端に設けられ、前記ベルト部の他端を係止するベルト係止部と、を有することを特徴とする請求項１に記載のナースコール子機ハンガー。
【発明の詳細な説明】
【技術分野】
【０００１】
本発明は、ナースコール子機をベッドサイドのパイプに保持させるナースコール子機ハンガーに関する。
【背景技術】
【０００２】
従来、ベッドの枠体を構成するパイプに被せるように装着されるＵ字状の鞍部と、鞍部から延びる脚部の一方に形成された子機用フック部とを有し、子機用フック部にナースコール子機の懸架部を引っかけてナースコール子機をベッドのパイプに保持させるハンガーが知られている（例えば、特許文献１参照）。
【先行技術文献】
【特許文献】
【０００３】
【特許文献１】実開平７−１８０８７号公報
【発明の概要】
【発明が解決しようとする課題】
【０００４】
ところで、特許文献１に記載されるような構成を有するハンガーは、例えば、ＡＢＳ樹脂等の硬質樹脂材料から形成される。このような硬質のハンガーでは、ナースコール子機をフック部から取り外す際に、患者は、ベッドに横たわった状態でナースコール子機を一旦上方へ持ち上げてフック部から懸架部を外さなければならない。このため、ベッドに横たわった患者に対してナースコール子機の取り外しの際に負担がかかってしまう。
また、例えば緊急時にナースコール子機を無理に取り外そうとすると、ナースコール子機の懸架部やハンガーのフック部が破損するおそれがある。
【０００５】
本発明の目的は、ナースコール子機を容易に取り外すことが可能なナースコール子機ハンガーを提供することにある。
【課題を解決するための手段】
【０００６】
上記課題を解決することのできる本発明のナースコール子機ハンガーは、
ナースコール子機をベッドサイドのパイプに保持させるナースコール子機ハンガーであって、
前記パイプに取り付けられる取付部と、
前記取付部に設けられ、前記ナースコール子機に設けられた係合部に係合可能なフック部と、
を有し、
少なくとも前記フック部が弾性材料から形成されていることを特徴とする。
【０００７】
この態様によれば、フック部が弾性変形するので、ＡＢＳ樹脂等の硬質材料から形成されたハンガーと比較して、ベッドに横たわった状態でもナースコール子機を容易にフック部から取り外すことができる。しかも、例えば緊急時にナースコール子機を無理に取り外したとしても、ナースコール子機の係合部やフック部が破損するような不具合が発生しにくい。
【０００８】
また、本発明のナースコール子機ハンガーにおいて、前記フック部及び前記取付部が弾性材料から一体に成形され、前記取付部は、前記パイプに巻回可能なベルト部と、前記ベルト部の一端に設けられ、前記ベルト部の他端を係止するベルト係止部と、を有することにしても良い。
【０００９】
この態様によれば、取付部とフック部とが弾性材料で一体に成形されている。このため、フック部が側方へ引っ張られてその屈曲部分が広がるように弾性変形するとき、フック部とベルト部との接続部分も変形し、フック部の全体の姿勢が引っ張られる方向に向けて傾く。したがって、さらに、ナースコール子機をフック部から外し易くなる。また、取付部とフック部とが弾性材料で一体に成形されているため、これらを別材料から形成したものと比較してコストダウンを図ることができる。また、ベルト部をパイプに巻回してベルト係止部に係止させることで、容易にベッドサイドのパイプに取り付けることができる。
【発明の効果】
【００１０】
本発明によれば、ナースコール子機を容易に取り外すことが可能なナースコール子機ハンガーを提供できる。
【図面の簡単な説明】
【００１１】
【図１】ナースコール子機を保持した本実施形態に係るナースコール子機ハンガーの斜視図である。
【図２】ナースコール子機を保持した本実施形態に係るナースコール子機ハンガーの側面図である。
【図３】パイプに取り付けられたナースコール子機ハンガーを示す図であって、（ａ）は正面図、（ｂ）は裏面図である。
【図４】ナースコール子機ハンガーを示す図であって、（ａ）は平面図、（ｂ）は裏面図である。
【図５】ナースコール子機ハンガーのベルト係止部の平面図である。
【図６】ナースコール子機ハンガーのパイプへの取り付け方を示す図であって、（ａ）及び（ｂ）はそれぞれ側面図である。
【図７】ナースコール子機ハンガーに保持されているナースコール子機の取り外し時における状態を示す側面図である。
【図８】変形例に係るナースコール子機ハンガーの平面図である。
【発明を実施するための形態】
【００１２】
以下、本発明に係るナースコール子機ハンガーの実施の形態の一例を、図面を参照して説明する。
図１は、ナースコール子機を保持した本実施形態に係るナースコール子機ハンガーの斜視図である。図２は、ナースコール子機を保持した本実施形態に係るナースコール子機ハンガーの側面図である。図３は、パイプに取り付けられたナースコール子機ハンガーを示す図であって、（ａ）は正面図、（ｂ）は裏面図である。
【００１３】
図１から図３に示すように、本実施形態に係るナースコール子機ハンガー１１は、ベッドを構成する枠体２のパイプ３（ベッドサイドのパイプの一例）に装着され、ナースコール子機１をベッドの枕元付近に配置されるパイプに保持させる。なお、ベッドサイドのパイプの例としては、ベッドを構成する枠体２のパイプ３に限らず、ベッドの周囲に配置されるデスク等の構造物を構成するパイプであっても良い。換言すると、ベッドサイドのパイプは、ベッドを構成する枠体のパイプまたはベッドの周辺（例えば枕元）に配置される物を構成するパイプを意味する。ナースコール子機１は、子機本体１ａの一端に、係合部１ｂを有している。この係合部１ｂは、円弧状に湾曲された棒状に形成されており、両端が子機本体１ａに連結されて係合孔１ｃを形成している。
【００１４】
ナースコール子機ハンガー１１は、取付部２０とフック部３０とを有しており、取付部２０とフック部３０とが一体に成形されている。このナースコール子機ハンガー１１は、弾性材料から形成されている。このナースコール子機ハンガー１１を形成する弾性材料としては、ゴム（エラストマー樹脂）材料が用いられている。例えば、フック部３０は、ナースコール子機１を吊下げても吊り下げ状態が維持でき、かつ、人の手による引っ張り力によって弾性変形しやすい程度に、その厚さ、幅、屈曲形状、弾性率が設定されている。
【００１５】
図４は、ナースコール子機ハンガーを示す図であって、（ａ）は平面図、（ｂ）は裏面図である。図５は、ナースコール子機ハンガーのベルト係止部の平面図である。
図４（ａ），（ｂ）に示すように、取付部２０は、ベルト部２１と、ベルト係止部２２とを有している。ベルト部２１は、細長い長方形状に形成されており、その一端２１ａにベルト係止部２２が設けられている。このベルト部２１の他端は、挿入し易いように外縁が湾曲した挿入端２１ｂとされている。ベルト部２１は、ナースコール子機ハンガー１１の全体が弾性材料から形成されていることから可撓性を有している。ベルト部２１は、パイプ３に巻回可能とされている。ベルト部２１には、パイプ３へ巻き付けられた状態で内側の面となる第２の面２１ｃとは反対側の第１の面２１ｄに、フック部３０が形成されている。また、このベルト部２１は、パイプ３へ巻き付けられた状態で内側の面となる第２の面２１ｃに、幅方向に沿う複数の溝部２４が長手方向に沿って配列されている。なお、複数の溝部２４は、ベルト部２１に幅方向に沿う複数の凹部を形成して構成しても良いし、ベルト部２１に幅方向に沿う複数のリブを長手方向に沿って形成することで構成しても良い。
【００１６】
ベルト部２１の一端２１ａに設けられたベルト係止部２２は、ベルト部２１の幅よりも大きな幅を有している。このベルト係止部２２は、二つのスリット２５を有している。これらのスリット２５は、ベルト部２１の長手方向に間隔をあけて並列に形成されている。これらのスリット２５は、ベルト部２１の幅寸法よりも僅かに大きな幅寸法を有しており、それぞれベルト部２１が挿入端２１ｂから挿入可能とされている。ベルト部２１側に配置されるスリット２５ａ（第１のスリットの一例）は、ベルト部２１をパイプ３に巻き付ける際の巻き付け径を調整することが可能である。ベルト部２１と反対側に配置されるスリット２５ｂ（第２のスリットの一例）は、巻き付け径が調整されたベルト部２１をベルト係止部２２に固定することが可能である。
【００１７】
図５に示すように、各スリット２５は、係止刃２６を有している。ベルト部２１側のスリット２５ａには、ベルト部２１寄りの縁部に係止刃２６が形成されており、ベルト部２１と反対側のスリット２５ｂには、ベルト部２１と反対寄りの縁部に係止刃２６が形成されている。これらの係止刃２６は、断面視で先端へ向かって細くなる先細り形状に形成されている。また、係止刃２６の両端には、窪み２６ａが形成されており、係止刃２６の全体が略均等かつ容易に変形可能とされている。これらのスリット２５は、その隙間の寸法Ｌがベルト部２１の挿入端２１ｂの厚さ寸法よりも僅かに大きくされている。
【００１８】
フック部３０は、第２の面２１ｃと反対側の面２１ｄに突出するように設けられている。フック部３０は、ベルト部２１の一端２１ａの近傍部分に形成されており、ベルト係止部２２側へ屈曲されている。そして、このフック部３０は、取付部２０を枠体２のパイプ３に取り付けた状態で、上方へ屈曲された状態に配置される（図２参照）。
【００１９】
図６は、ナースコール子機ハンガーのパイプへの取り付け方を示す図であって、（ａ）及び（ｂ）はそれぞれ側面図である。
上記のナースコール子機ハンガー１１をベッドの枠体２のパイプ３に取り付けるには、まず、ベルト係止部２２を上にした状態で、ベルト部２１をパイプ３に巻き付けるように、第２の面２１ｃが内側になるように曲げる。そして、このベルト部２１の挿入端２１ｂを、ベルト係止部２２のベルト部２１側のスリット２５ａへ挿し込んでベルト係止部２２の表側（第１の面２１ｄ側）へ引き出し、ベルト係止部２２に対してベルト部２１の挿入端２１ｂを引っ張る。このとき、図６（ａ）に示すように、ベルト部２１がパイプ３に巻回され、ベルト部２１の第２の面２１ｃがパイプ３の外周面に密着される。また、スリット２５ａの係止刃２６がベルト部２１の第２の面２１ｃに形成された溝部２４に入り込み、ベルト部２１が係止される。このようにして、パイプ３の径に応じて、ベルト部２１がスリット２５ａに係止される位置（ベルト部の長手方向の位置）が容易に調整される。
【００２０】
この状態から、図６（ｂ）に示すように、ベルト部２１の挿入端２１ｂを屈曲させて折り返し、この挿入端２１ｂをベルト係止部２２のベルト部２１側と反対側のスリット２５ｂへ挿し込んでベルト係止部２２の裏側へ引き出し、ベルト係止部２２に対してベルト部２１の挿入端２１ｂを引っ張る。このようにすると、スリット２５ｂの係止刃２６がベルト部２１の第２の面２１ｃに形成された溝部２４に嵌合し、ベルト部２１が確実に係止される。
【００２１】
このように、ナースコール子機ハンガー１１は、パイプ３に巻回したベルト部２１の挿入端２１ｂをベルト係止部２２の各スリット２５へ屈曲させながら順に挿入することで取付部２０がパイプ３に取り付けられる。そして、ナースコール子機ハンガー１１の取付部２０をパイプ３に取り付けた状態で、フック部３０は、上方へ屈曲された状態に配置され、ナースコール子機１に設けられた係合孔１ｃに係合可能となる。
【００２２】
ナースコール子機１をベッドの枠体２のパイプ３に取り付けられたナースコール子機ハンガー１１に保持させるには、図１および図２に示したように、ナースコール子機１の係合部１ｂの係合孔１ｃにフック部３０を挿通させるようにナースコール子機１の係合部１ｂを係合させる。すると、ナースコール子機１がナースコール子機ハンガー１１によってベッドサイドの枠体２に吊り下げられた状態で保持される。
【００２３】
また、このナースコール子機ハンガー１１からナースコール子機１を取り外す場合は、ナースコール子機１を少し持ち上げることで、係合部１ｂの係合孔１ｃからフック部３０を抜き取る。このようにすると、フック部３０による係合部１ｂの係合状態が解除され、ナースコール子機１がナースコール子機ハンガー１１から取り外される。
【００２４】
ところで、ナースコール子機を扱う患者は、通常、ベッドに横たわった状態で、比較的低い位置からナースコール子機をナースコール子機ハンガーから取り外すこととなる。しかし、例えば特許文献１に記載されるような構成を有する従来のハンガーは、ＡＢＳ樹脂等の硬質樹脂材料から形成されており、ナースコール子機を引っ掛けるフック部は弾性変形しない。このため、ナースコール子機をフック部から取り外すためには、ベッドに横たわった状態で比較的低い位置からナースコール子機を一旦上方へ持ち上げなければならず、患者に負担がかかってしまう。
【００２５】
また、特許文献１のハンガーは、パイプに対して鞍部を被せるように装着されるため、ナースコール子機の取り外しの際に、ナースコール子機とともにハンガーも持ち上がってパイプから外れて脱落してしまうことが考えられる。また、特許文献１のハンガーは、そのフック部が患者に当って、ハンガーがパイプから外れてしまうことが考えられる。
【００２６】
これに対し、本実施形態に係るナースコール子機ハンガー１１は、弾性材料から形成されているので、図７に示すように、ナースコール子機１を側方へ引っ張ったとしても、フック部３０の屈曲部分が広がるように弾性変形し、係合部１ｂの係合孔１ｃからフック部３０が外れる。したがって、ベッドに横たわった患者は、ナースコール子機１を掴んで引き寄せることで、ナースコール子機ハンガー１１から容易にナースコール子機１を取り外すことができる。このとき、ナースコール子機ハンガー１１は、取付部２０のベルト部２１がパイプ３に巻回されて確実にベッドの枠体２のパイプ３に取り付けられている。このため、ナースコール子機１の取り外し時にナースコール子機ハンガー１１が脱落するようなこともない。
【００２７】
また、本実施形態に係るナースコール子機ハンガー１１は、全体が弾性材料から形成されている。このため、フック部３０が側方へ引っ張られてその屈曲部分が広がるように弾性変形するとき、フック部３０とベルト部２１との接続部分も変形し、フック部３０の全体の姿勢が引っ張られる方向に向けて変化するため、さらに、ナースコール子機１をフック部３０から外し易くなっている。
【００２８】
以上、説明したように、本実施形態に係るナースコール子機ハンガーによれば、フック部３０が弾性変形するので、ＡＢＳ樹脂等の硬質材料から形成されたものと比較し、ベッドに横たわった状態でナースコール子機１を容易にフック部３０から取り外すことができる。しかも、例えば緊急時にナースコール子機１を無理にナースコール子機ハンガー１１から取り外したとしても、ナースコール子機１の係合部１ｂやフック部３０が破損するような不具合も防止できる。
【００２９】
また、取付部２０とフック部３０とが弾性材料で一体に成形されている。このため、フック部３０が側方へ引っ張られてその屈曲部分が広がるように弾性変形するとき、フック部３０とベルト部２１との接続部分も変形し、フック部３０の全体の姿勢が引っ張られる方向に向けて変化する。したがって、さらに、ナースコール子機１をフック部３０から外し易くなっている。また、取付部２０とフック部３０とが弾性材料で一体に成形されているため、これらを別材料から形成したものと比較してコストダウンを図ることができる。また、ベルト部２１をパイプ３に巻回してベルト係止部２２に係止させることで、容易にベッドサイドの枠体２のパイプ３に取り付けることができる。
【００３０】
また、フック部は、ナースコール子機１を吊下げても吊り下げ状態が維持でき、かつ、人の手による引っ張り力によって弾性変形しやすい程度に、弾性変形可能である。このため、ナースコール子機１の取り外し易さを得つつ、ナースコール子機１の確実な保持が可能となる。
【００３１】
なお、本発明は、上述した実施形態に限定されるものではなく、適宜、変形、改良等が自在である。その他、上述した実施形態における各構成要素の材質、形状、寸法、数値、形態、数、配置場所、等は本発明を達成できるものであれば任意であり、限定されない。
【００３２】
例えば、上記実施形態では、ベルト係止部２２に二つのスリット２５を形成したが、図８に示すように、三つのスリット２５をベルト係止部２２に形成しても良い。この場合、ベルト係止部２２へのベルト部２１の係止力をより高めることができる。
【００３３】
また、上記実施形態では、取付部２０とフック部３０とが弾性材料で一体に成形されている例を説明したが、この例に限られない。ナースコール子機ハンガー１１の各部のうち少なくともフック部３０が弾性材料で形成され、そのフック部３０が弾性変形可能であれば良い。この構成によれば、ナースコール子機１を容易に取り外すことが可能なナースコール子機ハンガー１１を提供することができる。
【符号の説明】
【００３４】
１：ナースコール子機、１ｂ：係合部、３：パイプ、１１：ナースコール子機ハンガー、２１：ベルト部、２１ａ：一端、２１ｂ：挿入端（他端）、２１ｃ：巻き付け側の面、２１ｄ：反対側の面、２２：ベルト係止部、２４：溝部、２５：スリット、２６：係止刃、３０：フック部
【図１】
2015073560.tif 000003
【図２】
2015073560.tif 000004
【図３】
2015073560.tif 000005
【図４】
2015073560.tif 000006
【図５】
2015073560.tif 000007
【図６】
2015073560.tif 000008
【図７】
2015073560.tif 000009
【図８】
2015073560.tif 000010